(57)【要約】【課題】  各種の照明形態の変更が正確、迅速に行える実用価値に優れた照明器具付ヘルメットを提供する。【解決手段】  ヘルメット本体２の前部２ａに、複数のＬＥＤ光源１１を備えた投光器１０と照明形態切換スイッチ部４０を設置し、ヘルメット本体２の後部２ｃに電池ボックス２０と充電端子部５０を設置して、これらをヘルメット本体２内のヘルメット内装体３に装着した配線部３０で配線する。切換スイッチ部４０を手動で操作、あるいは、音声入力で制御して、投光器１０の複数のＬＥＤ光源１１を選択的に点滅させ、発光色を適宜に変更させることで、投光器１０に予め設定された異なる複数種類の照明形態を変更する。【選択図】図１
2006097156.tif 000002
【特許請求の範囲】
【請求項１】
ヘルメット本体の前部にＬＥＤ光源を一体に組み込み、前記ヘルメット本体の前部を除く部分に前記ＬＥＤ光源を点灯させる電池を一体に組み込むと共に、前記ＬＥＤ光源と電池を配線部で電気的に接続したことを特徴とするヘルメット。
【請求項２】
前記配線部を、前記ヘルメット本体の内側に装着したヘルメット内装体に一体に組み付けたことを特徴とする請求項１に記載のヘルメット。
【請求項３】
前記配線部を、前記ヘルメット本体の内面にプリント配線パターンで一体に形成したことを特徴とする請求項１に記載のヘルメット。
【請求項４】
前記ＬＥＤ光源が、輝度、発光色の異なる複数種類の照明形態のいずれかで点灯することを特徴とする請求項１〜３のいずれかに記載のヘルメット。
【請求項５】
前記ＬＥＤ光源の複数種類の照明形態が、ヘルメット側方に光を投射する側方視認照明形態を含むことを特徴とする請求項４に記載のヘルメット。
【請求項６】
前記配線部に、前記ＬＥＤ光源の複数種類の照明形態を選択する切換スイッチ部を組み込んだことを特徴とする請求項４または５に記載のヘルメット。
【請求項７】
前記電池が充電式電池で、この充電式電池を充電する充電端子部を前記ヘルメット本体またはヘルメット内装体に一体に組み込んだことを特徴とする請求項１〜６のいずれかに記載のヘルメット。
【発明の詳細な説明】
【技術分野】
【０００１】
本発明は、照明器具を装備したヘルメットに関する。
【背景技術】
【０００２】
夜間の道路工事やパトロール、登山、釣りなどで使用される照明器具付ヘルメットは、硬質樹脂製のヘルメット本体の前部外面に投光器を取り付け、ヘルメット本体内にオンオフ手動式の点滅スイッチと電池ボックスを取り付けたものが公知である（例えば、特許文献１参照）。この照明器具付ヘルメットは、ヘルメットを頭部に被った人が必要時に点滅スイッチを手動でオン操作することで、投光器の光源が点灯してヘルメットの前方を照明する。
【０００３】
照明器具付ヘルメットの投光器は、円筒や矩形箱形のケース内に光源（白熱ランプ、ＬＥＤ）や反射板、レンズを格納した構造であり、光源を点灯させる電池は充電式が一般的である。投光器と電池ボックス、点滅スイッチの各部品がヘルメット本体の内外に設置されて、配線コードで接続される。
【特許文献１】特開平８−３１１７１２号公報（図３）
【発明の開示】
【発明が解決しようとする課題】
【０００４】
照明器具付ヘルメットは夜間の作業に便利であるが、多くの改善の余地が残されている。
【０００５】
例えば、照明器具付ヘルメットは、ヘルメット本体に取り付けた投光器と電池ボックスを接続する配線コードの一部がヘルメット本体の内外で垂れ下がるなどして、ヘルメットを見栄えの悪いものにしたり、人が頭部にヘルメットを着脱する際の操作の邪魔をすることがある。
【０００６】
また、投光器からの投射光でヘルメット前方を照明しているが、そのヘルメット前方の照明形態が単一で、ヘルメット近くをスポットライト的に照明するといった照明形態の変更が難しい。また、ヘルメット本体に投光器を上下や左右に首振り式に回動可能に取り付けたり、投光器にレンズや光源を可動に取り付けてズーム機能を持たせることで、照明形態を手動で変更させることができるが、このような照明形態の変更のための手動操作が面倒である。さらに、投光器をヘルメット本体に可動に取り付けるとなると、その取付構造が複雑となり、故障し易くなる。また、投光器にズーム機能を持た場合は、投光器が複雑で高価になると共に、故障する要因が多くなる。
【０００７】
また、夜間において投光器でカラー図面や多数のカラーコードを使用した配線盤を単一的な照明形態で照明しているが、カラー図面や配線盤のカラーコードの色によってはハレーション現象で見づらくなるものが出てくることがある。このような見づらいカラー図面やカラーコードは、ヘルメットを被った作業者の経験や、照明器具を異なる他の種類に代えることで対処している。しかし、経験に頼る対処は信頼性に劣り、他の照明器具に切り替える対処は面倒であり、複数種類の照明器具を用意しておく必要があって実用的でない。
【０００８】
本発明は、かかる現状に鑑みてなされたもので、その目的とするところは、多種多様で実用的な照明形態が自在に選択できる実用価値に優れた照明器具付ヘルメットを提供することにある。
【課題を解決するための手段】
【０００９】
本発明の上記目的を達成する技術的手段は、ヘルメット本体の前部にＬＥＤ光源を一体に組み込み、ヘルメット本体の全部を除く部分にＬＥＤ光源を点灯させる電池を一体に組み込むと共に、ＬＥＤ光源と電池を配線部で電気的に接続したことを特徴とする。
【００１０】
ここで、ヘルメット本体は硬質樹脂製で、ヘルメット本体の内側に人の頭部を保護するヘルメット内装体（ヘッドベルト、発泡スチロールの衝撃吸収ライナーなど）を装備する。このようなヘルメットには前後があり、その前部にＬＥＤ光源を設置する。ＬＥＤ光源は、単色発光するＬＥＤの他、赤色発光ＬＥＤや緑色発光ＬＥＤなどの複数種類のＬＥＤをユニット化して任意の色で発光するようにした点光源あるいは線光源を含む。本発明は複数のＬＥＤ光源を横一列に並べたＬＥＤ光源群を含んでＬＥＤ光源と称する。このＬＥＤ光源を、例えばプリント基板に組み込み、扁平なケースに収容して投光器を製作し、この投光器をヘルメット本体の前部の内外面に固着、あるいは、ヘルメット本体の前部に形成した投光器取付用ポケットに差し込み式に取り付ける。ヘルメット本体の前部につば部がある場合は、このつば部にポケットを形成して投光器を取り付けることができる。
【００１１】
また、ＬＥＤ光源を点灯させる電池は、市販の乾電池、フィルム電池、太陽電池の他、充電式電池が適用できる。この電池をヘルメット本体の前部を除く後部や側部に簡易取付具などを介して着脱可能に取り付ける。この場合、電池を小形のケースに収容した電池ボックスの形でヘルメット本体に一体的に取り付けることができる。あるいは、ヘルメット本体の後部や側部に一体に形成したポケットに電池ボックスを差し込み式に取り付けるようにしてもよい。ヘルメット本体の前部にＬＥＤ光源を取り付け、ヘルメット本体の後部に電池を取り付けると、ヘルメットの重量バランスが良くなり、ヘルメットの形状設計がし易くなる。
【００１２】
本発明においては、ヘルメット本体のＬＥＤ光源と電池を電気的接続する配線部を、ヘルメット本体の内側に装着したヘルメット内装体に一体に組み付けた構造とすることができる。さらに、配線部を、ヘルメット本体の内面にプリント配線パターンで一体に形成することができる。
【００１３】
このように配線部を、ヘルメット内装体に一体に組み付けた構造にしたり、ヘルメット本体の内面にプリント配線パターンで一体に形成することにより、ヘルメットの内外で配線コードが垂れ下がるといったことがなくなり、ヘルメットの外観がスッキリした良好なものになり、ヘルメットの着脱操作が容易になる。また、配線部は、フレキシブルな絶縁シートに配線パターンをプリントしたプリント配線シートで構成することができ、このフレキシブルな薄いプリント配線シートは量産が容易で安価となり、また、ヘルメット内装体のヘッドベルトの外面に縫合や接着したり、ヘルメット本体の内面に接着してプリント配線パターンとすることができる。
【００１４】
また、本発明においては、ＬＥＤ光源が、輝度、発光色の異なる複数種類の照明形態のいずれかで点灯することを特徴とする。このＬＥＤ光源の複数種類の照明形態は、全ＬＥＤ光源が消灯する消灯状態の照明形態を含む。さらに、本発明においては、ヘルメット側方に光を投射する側方視認照明形態を含むようにすることができる。また、配線部に、ＬＥＤ光源の複数種類の照明形態を選択する切換スイッチ部を組み込むことができる。
【００１５】
ＬＥＤ光源を選択的に点灯させて、複数種類の照明形態が選択できるようにすることで、従来の照明器具付ヘルメットのように投光器を首振りさせたりレンズ系をズーム動作させるといった動作が不要となり、機械的故障が発生し難い。また、ＬＥＤ光源の点滅制御による照明形態の変更は、電気的スイッチング操作だけで正確、迅速に行える。ＬＥＤ光源は発光色の異なるＬＥＤの選択的な点滅で、白色発光や黄色発光、赤色発光などの発光色が自在に選択でき、発光色の選択だけでも照明形態が多様に変更できる。さらに、ＬＥＤ光源の輝度を選択すればより多様な照明形態が得られ、この多様な照明形態からいずれかの形態が選択できる。例えば、カラー図面やカラーコードを使用した配線盤を照明する場合、カラー図面や配線盤のカラーコードの色によってハレーション現象を避ける照明形態が経験に基づいて容易に選択できるようになり、カラー図面やカラーコードの視認ミスといったトラブルが解消できる。また、ヘルメット前部に横一列に複数のＬＥＤ光源を配置して、その両端のＬＥＤ光源をヘルメット側方に光投射する側方視認用光源とすることができ、この側方視認光源を点灯あるいは点滅させると、遠方からヘルメットを装着した作業員の存在が視認できて便利である。
【００１６】
また、本発明においては、ＬＥＤ光源を点灯させる電池が充電式電池で、この充電式電池を充電する充電端子部をヘルメット本体またはヘルメット内装体に一体に組み込むことができる。
【００１７】
ここでの充電式電池は、市販されている充電器で充電できる市販品が適用でき、この充電式電池を充電する充電端子部をヘルメットに取り付ける。例えば、建物などのヘルメット保管場所に上記充電器を配備し、ヘルメット保管場所にヘルメットを置いて保管する際に、ヘルメットの充電端子部をヘルメット保管場所の充電器に電気的接続させると、ヘルメット保管と同時に電池充電が開始されて、充電忘れがなくなる。また、ヘルメット保管場所が室内の壁で、この壁にヘルメットを引っ掛けて保持する保管具を設けた場合、この保管具に充電器機能を持たせて、保管具にヘルメットを掛けたときに充電端子部を保管具に電気的接続して電池を充電することができる。
【発明の効果】
【００１８】
本発明のヘルメットによれば、ヘルメット本体の前部に取り付けたＬＥＤ光源の選択的な点灯で複数種類の照明形態が自在に選択できる実用価値に優れたヘルメットが提供できる。また、複数種類の照明形態が機械的動作の制御を一切行わずに電気的スイッチング操作だけで正確、迅速に行えるため、故障発生の虞のほとんど無い商品価値に優れたヘルメットが提供できる。
【発明を実施するための最良の形態】
【００１９】
以下、本発明の実施の形態を図１〜図９を参照して説明する。
【００２０】
図１及び図２に示されるヘルメット１は、硬質樹脂製のヘルメット本体２の内側にヘッドベルトなどのヘルメット内装体３を配備したもので、ヘルメット１を人の頭部上で安定させる顎ひも類は省略している。ヘルメット内装体３は、例えば図３に示すようなハンモック３ａとヘッドバンド３ｂを有する。ヘルメット本体２の形状は様々で、図１では前部２ａにつば部２ｂを一体に有する。この実施の形態は、つば部２ｂにＬＥＤ光源１１を内蔵する扁平な投光器１０と、手動式の照明形態切換スイッチ部４０を一体に取り付け、図２に示すようにヘルメット本体２の後部２ｃの内側に電池ボックス２０と充電端子部５０を一体的に取り付けている。
【００２１】
図３に示すように、ヘルメット本体２のつば部２ｂは上下二重つば構造で、二重つばの間に横長扁平な前端開口のポケット４を形成し、このポケット４に投光器１０を挿脱可能に取り付けている。図２に示す電池ボックス２０は扁平な箱で、電池２１を収納する。また、投光器１０と電池ボックス２０及び切換スイッチ部４０を電気的接続する配線部３０を、ヘルメット本体２の内側に配設する。配線部３０は、フレキシブルな絶縁シートに配線パターンをプリントした長尺なプリント配線シート３１を有する。プリント配線シート３１は、図３に示すようにつば部２ｂの内面からヘルメット内装体３のヘッドベルト３ｂの外周に延在して、ヘルメット本体２の後部２ｃの電池ボックス２０まで延びる。プリント配線シート３１をヘッドベルト３ｂの外周に接着や縫合して一体化することで、配線部３０が目立たず、ヘルメットの外観を良好にすると共に、配線部３０は人がヘルメット１の着脱する作業の邪魔をしない。
【００２２】
なお、つば部２ｂの内面のプリント配線シート３１は、つば部２ｂの内面に直接に印刷したプリント配線パターンとすることも可能である。このようなプリント配線パターンはつば部２ｂの内面から前部２ａの内面、ヘルメット本体２の側部内面から後部２ｃの内面に一連に形成して電池ボックス２０と電気的接続するようにしてもよい。
【００２３】
投光器１０の具体例を、図４と図５に示す。投光器１０は、横長矩形箱形の扁平なケース１２の中に横一列に複数のＬＥＤ光源１１を収納する。複数の各ＬＥＤ光源１１の各々は、光の三原色などの異なる色で発光する複数種類のＬＥＤを１ユニット化した点光源で、全ＬＥＤを点灯させると白色発光する。各ＬＥＤをそれぞれの発光色で選択的に発光させ、発光する各ＬＥＤの輝度を制御することで、投光器１０が多種多様な任意の色、輝度で発光する。この複数のＬＥＤ光源１１を共通の配線基板１３の前面に横一列に支持することで、投光器１０が量産性良く安価に製作できる。ケース１２は防水型ケースであり、ケース１２上に切換スイッチ部４０が一体に取り付けられる。切換スイッチ部４０は、投光器１０の多種多様の照明形態を記憶し、指示するＩＣチップ（図示せず）を組み込んだＩＣ回路基板で、つば部２ｂの上面に露呈し、この露呈部分に照明形態を手動で切り換えるためのスイッチ操作部４１を配備している。投光器１０の拡散板１５は、ＬＥＤ光源１１の光を適度な拡散角度で前方へ投射するレンズ機能と防水機能を兼備する。
【００２４】
投光器１０は、複数のＬＥＤ光源１１を選択させて点灯させたときの輝度、発光色、光投射角で決まる照明形態が複数種類あるように設計される。例えば、図５と図６に示すように、ＬＥＤ光源１１が横一列に並ぶ６個で、同図で左からＬＥＤ光源を１１ａ〜１１ｆとすると、左右２個ずつのＬＥＤ光源１１ａ、１１ｂと１１ｅ、１１ｆが共に点灯するとヘルメット前方遠くを比較的大きな投射角度で照明する遠方照明形態となるように設定され、残りの中央２個のＬＥＤ光源１１ｃ、１１ｄが共に点灯するとヘルメット前方近くで下方に向けて比較的小さな投射角度で照明するスポットライト的照明形態となるように設定される。このような二種類の照明形態の設定は、各ＬＥＤ光源１１の輝度、発光色の選択と、拡散板１５による光拡散率の選択などで決定できる。このような照明形態は二種類以上に設定することも任意に可能であり、各照明形態で発光色を白色から赤色、青色などと変更することも任意に可能である。このようなＬＥＤ光源１１の輝度、発光色の選択は、照明形態切換スイッチ部４０のＩＣチップに組み込んだ制御回路で行うことができる。
【００２５】
また、ヘルメット本体２のつば部２ｂの先端縁は凸状円弧を描き、この凸状円弧に合わせて投光器１０の複数のＬＥＤ光源１１を円弧状に並べて、両端のＬＥＤ光源１１ａ、１１ｆが点灯すると、その光の一部がヘルメット１の側方に投射するように設定する。例えば、図７に示すように、両端のＬＥＤ光源１１ａ、１１ｆに反射板１６を添設して、ヘルメット側方に光を積極的に投射するようにする。このヘルメット側方の光投射による照明形態は、ヘルメット側方での遠方からヘルメット１の存在を視認する側方視認効果に優れる。この側方照明形態においては、側方照明する光を点滅させると、側方視認がより効果的に行える。
【００２６】
電池ボックス２０は、市販の複数本の充電式電池２１を横一列に整列させて収納する扁平な防水型ケースで、図２に示すように、ヘルメット本体２の後部２ｃ内面とヘルメット内装体３の間の隙間に挿入されて、後部２ｃに面ファスナーなどの簡易取付具を介して取り付けられ、ヘッドベルト３ｂから延在するプリント配線シート３１に電気的接続される。充電式電池２１は、電池ボックス２０から取り出されて図示しない既存の充電器で充電される他、ヘルメット本体２の後部２ｃに取り付けた充電端子部５０からも充電できるようにしてある。充電端子部５０は、既存の充電器の充電端子と適宜に接続される充電端子を有し、この充電端子部５０による電池充電は、例えば図８に示すように行われ、この充電動作は後述する。
【００２７】
次に、以上の実施の形態のヘルメット１の使い方を説明する。
【００２８】
人がヘルメット１を頭部に被り、照明が必要なときに照明形態切換スイッチ部４０のスイッチ操作部４１を片手操作する。図６に示すように、スイッチ操作部４１は例えば２つのスイッチング素子４１ａ、４１ｂを備え、このスイッチング素子４１ａ、４１ｂを予め決められた手順でスイッチング操作することで、投光器１０の多種多様の照明形態が切り換えられる。この照明形態は、投光器１０の全てのＬＥＤ光源１１が消灯状態にある非照明形態、全てのＬＥＤ光源１１が点灯する全灯照明形態、左右２個ずつのＬＥＤ光源１１ａ、１１ｂ、１１ｅ、１１ｆが点灯する遠方照明形態、中央２個のＬＥＤ光源１１ｃ、１１ｄが点灯するスポットライト的照明形態であり、これら各種の照明形態に発光色や輝度を変更した照明形態であり、これら多種多様の照明形態が手動で変更される。このような照明形態の変更は、スイッチ操作部４１のワンタッチ的な手動操作のみで簡単、確実に、しかも、瞬時にして行うことができる。また、照明形態変更のための機械的動作部が無いので、故障が発生する確率が極端に低く、照明器具付ヘルメットの信頼性がよくなる。
【００２９】
また、夜間において作業員がヘルメット１を被り、投光器１０を点灯させてカラー図面を見る場合、投光器１０の発光色をカラー図面に適応した色（ハレーション現象を生じない色）に選択することで、カラー図面が鮮明に見えるようになる。また、カラーコードのある配線盤を点検修理するような場合も、発光色の選択でカラーコードが鮮明に色分けでき、作業の配線ミスといったトラブルが無くなる。また、光ファイバーを点検修理などする場合、発光色を白色に設定すれば、光ファイバーが浮き上がるように鮮明に見えて、作業ミスが無くなる。
【００３０】
以上のような夜間作業時に、投光器１０の側方にＬＥＤ光源１１ａ、１１ｆの光の一部を点滅させてヘルメット側方に投射すると、遠方からヘルメット１の存在が視認され、この視認で作業員が作業現場に居ることが視認されて、現場の人員管理などが正確にして便利に行えるようになる。
【００３１】
電池ボックス２０の充電式電池２１は、定期的、又は、必要時に充電器を使って充電する他、図８に示すようにヘルメット１を保管する際に充電することができる。図８は、室内に設置されたヘルメット保管場所にヘルメット１を保管した状態を示す。保管場所の例えば壁５３にヘルメット１を引っ掛けて保管するフック５２を突設し、フック５２に充電器５１を一体に組み込む。フック５２にヘルメット本体２の後部２ｃを引っ掛けるときに、充電端子部５０をフック５２を介して充電器５１に電気的接続し、電池ボックス２０の電池２１を充電する。このようにヘルメット保管時に自動的に電池充電を行うようにすると、充電忘れが回避されると共に、ヘルメット１から電池ボックス２０を取り外して電池充電するといった手間が省ける。
【００３２】
次に、他の実施の形態を図９と図１０に基づき説明する。
【００３３】
図９は、ヘルメット本体２の後部２ｃに一体に形成したポケット６に電池ボックス２０を挿脱可能に取り付けている。ポケット６は下向きで、その下端開口から薄型の電池ボックス２０が差し込み式に嵌挿される。ヘルメット本体２の後部２ｃを二重壁構造にしてポケット６を形成することで、後部２ｃの強度がポケット６の二重壁で増大する。
【００３４】
図１０のヘルメット１は、つば無しヘルメット本体２に適用したもので、前部２ａの全面に横長箱形の膨出部２ｄを一体に突設し、この膨出部２ｄに投光器１０を挿入して一体化する。また、図１０のヘルメット１は、配線部３０の一部に音声ＩＣを内蔵した照明形態切換スイッチ部４０を配備し、この切換スイッチ部４０にマイク４２を連接している。マイク４２に投光器１０の照明形態を選択する音声を入れると、この音声を切換スイッチ部４０の音声ＩＣが識別して投光器１０の照明形態を切換制御する。マイク４２に入れる音声は、「遠方照明」、「スポット照明」、「白色点灯」、「赤色点灯」などであり、ヘルメット１を被った作業員が音声を発するだけで照明形態が任意に切り換えられるので、作業員は両手を使った作業ができて、作業能率が上がる。図１０に示すマイク４２は、ヘルメット本体２から下方に延びるアーム４３の先端に取り付けているが、ヘルメット本体２の一部に固定した高性能のボタン状小形マイクであってもよい。
【００３５】
なお、本発明のヘルメットは、上記した実施の形態に限定されるものではなく、本発明の要旨を逸脱しない範囲内において種々変更を加え得ることは勿論である。
【図面の簡単な説明】
【００３６】
【図１】本発明の第１の実施の形態を示すヘルメットの斜視図である。
【図２】図１ヘルメットの一部省略部分を含む背面斜視図である。
【図３】図１ヘルメットの前部拡大断面図である。
【図４】図３ヘルメットにおける投光器の断面図である。
【図５】図３ヘルメットの部分正面図である。
【図６】図５ヘルメットにおける投光器の照明形態を説明するための平面図である。
【図７】図５ヘルメットにおける投光器の他の照明形態の概要を説明するための平面図である。
【図８】図１ヘルメットの保管かつ電池充電時の側面図である。
【図９】第２の実施の形態を示すヘルメットの部分断面を含む側面図である。
【図１０】第３の実施の形態を示すヘルメットの斜視図である。
【符号の説明】
【００３７】
１    ヘルメット
２    ヘルメット本体
２ａ    前部
２ｂ    つば部
２ｃ    後部
３    ヘルメット内装体
４、６    ポケット
１０    投光器
１１    ＬＥＤ光源
１１ａ〜１１ｆ    ＬＥＤ光源
２０    電池ボックス
２１    電池
３０    配線部
３１    プリント配線シート
４０    切換スイッチ部
４１    スイッチ操作部
４２    マイク
５０    充電端子部
５１    充電器
５２    フック
【図１】
2006097156.tif 000003
【図２】
2006097156.tif 000004
【図３】
2006097156.tif 000005
【図４】
2006097156.tif 000006
【図５】
2006097156.tif 000007
【図６】
2006097156.tif 000008
【図７】
2006097156.tif 000009
【図８】
2006097156.tif 000010
【図９】
2006097156.tif 000011
【図１０】
2006097156.tif 000012